(57)【要約】【課題】  発光作用が早期に又容易に消失してしまうことがなく、高齢者、障害者又は介護者等に不安感を惹起させることもない車椅子、簡易トイレ、特殊ベッド等の福祉関連用品を提供する。【解決手段】  蓄光顔料をコーティングした鱗片状雲母粒子を合成樹脂に混合させて成形した成形品を、階段１１の手摺１２、踏板１３等の階段構成部材の全部又は一部として使用する。鱗片状雲母粒子は、粒子径が０．５〜５．０ｍｍであるのが好ましい。【選択図】              図１
2005220535.tif 000002
【特許請求の範囲】
【請求項１】
蓄光顔料をコーティングした鱗片状雲母粒子を合成樹脂に混合させて成形した成形品を、階段構成部材の全部又は一部として使用することを特徴とする階段構成部材。
【請求項２】
前記鱗片状雲母粒子は、粒子径が０．５ｍｍ〜５．０ｍｍであることを特徴とする請求項１に記載の階段構成部材。
【請求項３】
前記成形品は、前記合成樹脂にさらに木屑粉を混合させて成形したものであることを特徴とする請求項１又は２に記載の階段構成部材。
【請求項４】
前記階段構成部材は、階段の手摺であることを特徴とする請求項１乃至３に記載の階段構成部材。
【請求項５】
前記階段構成部材は、階段の踏板であることを特徴とする請求項１乃至３に記載の階段構成部材。
【発明の詳細な説明】
【技術分野】
【０００１】
本発明は、住宅、病院、学校等の建築物に設置される階段を構成する手摺、踏板等の階段構成部材に関する。
【背景技術】
【０００２】
住宅、病院、学校等の建築物に設置される階段にあっては、それ程明るい照明が設置させていない場合が多いため、夜間において、踏板の位置が確認し難く、階段を上り下りするには注意する必要があり、十分に注意していないと、踏板を踏み外して転げ落ちる虞があった。
又、停電が発生した場合には、踏板の位置どころか、階段そのものの存在すら確認できなくなるため、階段を上り下りするのが困難になったり、踏板を踏み外して転げ落ち、大怪我をする虞があった。
【０００３】
そこで、従来、階段の手摺、踏板等の全部又は一部に蛍光塗料を塗布し、夜間又は停電が発生した場合に、手摺、踏板等の全部又は一部が発光するようにして、階段の存在を明確とし、踏板の位置を確認し易くするようにして、踏板を踏み外すことなく、確実に上り下りできるようにした階段が提案されている（特許文献１及び２参照。）。
【０００４】
【特許文献１】特開２００３−１９３６５５
【０００５】
【特許文献２】特開２００３−２０８８０８
【発明の開示】
【発明が解決しようとする課題】
【０００６】
しかし、従来の階段にあっては、手摺、踏板等の表面部にのみ蛍光塗料を塗布していたから、使用による表面部の摩耗等によって、又、表面部の擦過、破損等によって、容易に蛍光塗料が剥離してしまって、発光作用が比較的早期に消失してしまった。
【０００７】
又、手摺、踏板等の表面部に一様に蛍光塗料を塗布していたから、発光作用は比較的に強烈であり、利用者に不安感を惹起させるものであった。さらに、一様に発光するため、冷たい無機質感を惹起させるものであった。
【０００８】
又、蛍光塗料は紫外線に弱い等、耐候性に問題があり、太陽光線が当たる場所に階段が存在していると、発光作用が徐々に消失してしまうという問題点も有していた。
【０００９】
本発明は、かかる従来の問題点に鑑みて為されたものであり、使用による表面部の摩耗等によって、又、表面部の擦過、破損等によっても、発光作用が早期に消失してしまうことがなく、発光作用が比較的に穏和であり、利用者に不安感を惹起させることなく、意匠性を保有させることもでき、暖かい有機質感を惹起させるとともに、耐候性にも問題がなく、太陽光線が当たる場所に階段が存在していても、容易に発光作用が消失してしまうことのない手摺、踏板等の階段構成部材を提供することを目的とする。
【課題を解決するための手段】
【００１０】
上記目的を達成するため、本発明は、蓄光顔料をコーティングした鱗片状雲母粒子を合成樹脂に混合させて成形した成形品を、階段構成部材の全部又は一部として使用することを特徴とする。
【発明を実施するための最良の形態】
【００１１】
以下、本発明の階段構成部材の好適な実施形態について、図面を参照して具体的に説明する。
本発明の階段構成部材は、蓄光顔料をコーティングした鱗片状雲母粒子を成樹脂に混合させて成形した成形品を、全部又は一部として使用するものである。
【００１２】
雲母は、薄い層に剥がれ易く、弾力性に富み、電気絶縁性及び耐熱性が高い天然鉱物であり、成分の違いから、白雲母（マスコバイト）、金雲母（フロコバイト）、黒雲母（バイオタイト）等がある。
本発明では、雲母を粉砕して鱗片状粒子としたものを使用するが、雲母としては、白雲母を使用するのが好ましく、粒子径としては、０．５〜５ｍｍ、特には、０．５〜３ｍｍのものを使用するのが好ましい。
【００１３】
蓄光顔料は、昼間において、太陽光線等から光エネルギーを吸収、蓄積しておき、夜間において、蓄積した光エネルギーを放出することによって発光する顔料であり、アルミン酸ストロンチューム、ユーロピュームジスプロシューム等を成分とするものである。
尚、上記蓄光顔料には、さらに、酸化チタン、カーボンブラック等の着色剤を添加させてもよい。
【００１４】
鱗片状雲母粒子に蓄光顔料をコーティングするには、先ず、蓄光顔料、トルエン、酢酸エチル等の溶剤、アクリル樹脂等のバインダー、及びエポキシ樹脂等の架橋剤を混合した配合品を調製し、次に、鱗片状雲母粒子とこの配合品とを混合した後に乾燥させる。
この鱗片状雲母粒子に蓄光顔料をコーティングする工程は、発光輝度を増大させるために、複数回繰り返すのが好ましい。
さらに、トルエン、酢酸エチル等の溶剤、アクリル樹脂等のバインダー、及びエポキシ樹脂等の架橋剤を混合した配合品を調製し、次に、上記乾燥させた鱗片状雲母粒子とこの配合品とを混合した後に乾燥させる。
【００１５】
そして、蓄光顔料をコーティングした鱗片状雲母粒子をＡＢＳ樹脂、ポリプロピレン、ポリエステル、ポリウレタン等の合成樹脂に混合させ、圧縮成形、押出成形、中空成形等の適宜成形法によって適宜形状、構造の成形品を成形する。
ここで、合成樹脂中に含有させる蓄光顔料は１〜１０重量％が好ましく、特には、３〜８重量％が好ましい。
【００１６】
ここで、雲母は薄い層に剥がれ易いため、粉砕された雲母粒子は鱗片状となり、又、雲母は耐熱性が高いため、雲母粒子を合成樹脂に混合させて成形しても、合成樹脂と完全に融合してしまうことはなく、鱗片状雲母粒子が成形品中に点状に混在する形態となる。
【００１７】
よって、階段構成部材の全部又は一部としてその成形品を使用した場合には、夜間又は停電が発生した場合に、成形品中に点状に混在する鱗片状雲母粒子が発光し、成形品が斑点状に発光しているように見え、発光作用は比較的に穏和であるから、利用者に不安感を惹起させることはない。
又、鱗片状雲母粒子の成形品中における混在状態を適宜規制することによって、大理石調、石目調等、又、星空模様等の各種模様を構成することができ、意匠性を保有させることができて、利用者に暖かい有機質感を惹起させることもできる。
【００１８】
又、階段構成部材の全部又は一部としてその成形品を使用した場合には、成形品の内部にも鱗片状雲母粒子が混在しているから、使用による表面部の摩耗等によって、又、表面部の擦過、破損等によっても、発光作用が早期に消失してしまうことはない。
【００１９】
又、階段構成部材の全部又は一部としてその成形品を使用した場合には、蓄光顔料は耐候性及び耐光性が良好であるから、階段が太陽光線が当たる場所に存在していても、容易に発光作用が消失してしまうことはない。
【００２０】
尚、合成樹脂に蓄光顔料をコーティングした鱗片状雲母粒子を混合させるとともに、木屑粉を混合させて成形した成形品を、構成部材として使用してもよい。木屑粉は、成形品中に１０〜５０重量％、好ましくは、３０〜４０重量％含有させる。
【００２１】
成形品に木屑粉が混在していれば、成形品に木質感を付与することができ、木製家具調に近いものとなり、利用者に、より暖かい有機質感を惹起させることができる。
【実施例１】
【００２２】
本発明を階段１１の手摺１２に適用した場合について説明する。
図１に示すように、手摺１２にあっては、長さ方向の全体に渡って又は長さ方向の一部について、蓄光顔料をコーティングした鱗片状雲母粒子を合成樹脂に混合させて成形した成形品が適用される。
【００２３】
手摺１２は、階段１１を上り下りする際に、手で把持して案内するものであるから、これに上記の如き成形品を適用すれば、夜間又は停電が発生した場合に、発光する手摺１２を把持して、階段を上り下りすることができ、踏板を踏み外すことなく、階段１１を確実に上り下りすることができる。
【００２４】
又、手摺１２は、使用による表面部の摩耗、表面部の擦過、破損等を受け易いが、成形品の内部にも鱗片状雲母粒子が混在しているから、発光作用が早期に消失してしまうことはない。
【実施例２】
【００２５】
本発明を階段１１の踏板１３に適用した場合について説明する。
図１に示すように、踏板１３にあっては、長さ方向の全体に渡って若しくは長さ方向の一部について、又、幅方向の全体に渡って若しくは幅方向の一部について、蓄光顔料をコーティングした鱗片状雲母粒子を合成樹脂に混合させて成形した成形品が適用される。
【００２６】
踏板１３は、階段１１を上り下りする際に、足を着地して進行するものであるから、これに上記の如き成形品を適用すれば、夜間又は停電が発生した場合に、発光する踏板１３に着地して、階段を上り下りすることができ、踏板を踏み外すことなく、階段１１を確実に上り下りすることができる。
【００２７】
又、踏板１３は、使用による表面部の摩耗、表面部の擦過、破損等を受け易いが、成形品の内部にも鱗片状雲母粒子が混在しているから、発光作用が早期に消失してしまうことはない。
【００２８】
尚、本発明は、手摺１２、踏板１３に適用されるのみならず、階段を構成する行桁等、適宜階段構成部材に適用することができる。
【図面の簡単な説明】
【００２９】
【図１】本発明を適用した階段の外観斜視図である。
【符号の説明】
【００３０】
１１  階段
１２  手摺
１３  踏板
【図１】
2005220535.tif 000003